(57)【要約】      （修正有）【課題】電池の交換が容易で、かつ電池の交換時に電池が機器の内側に落ちづらくされた電子機器を提供する。【解決手段】電子機器は、筐体と、筐体の天板の下方に設けられ、かつ電池を収納する電池収納部６と、電池収納部６の下方に設けられ、かつ電池が落下することを防止するカバー７と、天板における電池収納部６の上方に形成された穴を塞ぐ蓋と、を有する。また、天板と直交する方向に設けられた基板８をさらに有し、電池収納部６は、基板８に設けられる。【選択図】図５
2019033137.tif 000002
【特許請求の範囲】
【請求項１】
筐体と、
前記筐体の天板の下方に設けられており、かつ電池を収納する電池収納部と、
前記電池収納部の下方に設けられており、かつ前記電池が落下することを防止するカバーと、
前記天板における前記電池収納部の上方に形成された穴を塞ぐ蓋と、
を有することを特徴とする電子機器。
【請求項２】
前記天板と直交する方向に設けられた基板をさらに有し、
前記電池収納部は、前記基板に設けられていることを特徴とする、
請求項１に記載の電子機器。
【請求項３】
前記カバーは、前記電池収納部の下方を覆うように前記基板に設けられていることを特徴とする、
請求項２に記載の電子機器。
【請求項４】
前記カバーは、
前記電池収納部の下方に位置し、かつ一端が前記基板と接する底板と、
前記電池収納部の側方を覆い、かつ前記電池収納部の上方に開口を有する側板と、
を有することを特徴とする、
請求項２又は３に記載の電子機器。
【請求項５】
通信ユニットと、
演算ユニットと、
を有し、
前記電池収納部は、
前記通信ユニットに電気的に接続された第１電池収納部と、
前記演算ユニットに電気的に接続された第２電池収納部と、
を有することを特徴とする、
請求項１から４のいずれか一項に記載の電子機器。
【請求項６】
前記カバーは、前記第１電池収納部及び前記第２電池収納部の下方を覆うことを特徴とする、
請求項５に記載の電子機器。
【発明の詳細な説明】
【技術分野】
【０００１】
本発明は、電子機器に関する。
【背景技術】
【０００２】
従来、バックアップ電池を用いた電子機器が用いられている。特許文献１には、電池蓋を備えるメモリバックアップ用の電池ボックスを有する電子タイプライタ等の記録装置が開示されている。
【先行技術文献】
【特許文献】
【０００３】
【特許文献１】特開平５−２４３１５号公報
【発明の概要】
【発明が解決しようとする課題】
【０００４】
従来、ラックに組み込む電子機器にバックアップ電池を設ける場合、電子機器の内部には複数のモジュールが設けられているため、バックアップ電池を交換するために、装置のカバー及び複数のモジュールを取り外す等して、大きく分解する必要があった。そこで、電池を交換する際に装置を大きく分解することを回避するために、装置の上部にバックアップ電池を配置する構造があった。しかし、この場合、例えば装置の下部からバックアップ電池にアクセスする場合、装置をひっくり返す必要があるため、交換することが困難であるという問題が生じていた。
【０００５】
また、バックアップ電池を装置の上部に配置した場合、バックアップ電池へのアクセスは容易になるが、バックアップ電池の交換時に装置内部にバックアップ電池を落としてしまう恐れがあるという問題が生じていた。
【０００６】
そこで、本発明はこれらの点に鑑みてなされたものであり、電池の交換が容易で、かつ電池の交換時に電池が電子機器の内側に落ちづらい電子機器を提供することを目的とする。
【課題を解決するための手段】
【０００７】
本発明の第１の態様においては、筐体と、前記筐体の天板の下方に設けられており、かつ電池を収納する電池収納部と、前記電池収納部の下方に設けられており、かつ前記電池が落下することを防止するカバーと、前記天板における前記電池収納部の上方に形成された穴を塞ぐ蓋と、を有することを特徴とする電子機器を提供する。
【０００８】
また、前記天板と直交する方向に設けられた基板をさらに有し、前記電池収納部は、前記基板に設けられていてもよい。また、前記カバーは、前記電池収納部の下方を覆うように前記基板に設けられていてもよい。
【０００９】
また、前記カバーは、前記電池収納部の下方に位置し、かつ一端が前記基板と接する底板と、前記電池収納部の側方を覆い、かつ前記電池収納部の上方に開口を有する側板と、を有していてもよい。
【００１０】
また、通信ユニットと、演算ユニットと、を有し、前記電池収納部は、前記通信ユニットに電気的に接続された第１電池収納部と、前記演算ユニットに電気的に接続された第２電池収納部と、を有していてもよい。また、前記カバーは、前記第１電池収納部及び前記第２電池収納部の下方を覆っていてもよい。
【発明の効果】
【００１１】
本発明によれば、電池の交換が容易で、かつ電池の交換時に電池が電子機器の内側に落ちづらくなるという効果を奏する。
【図面の簡単な説明】
【００１２】
【図１】本実施形態に係る電子機器の構成を示す。
【図２】本実施形態に係る電子機器から天板が取り外された状態を示す。
【図３】本実施形態に係る電子機器から蓋部材及び表示ユニットが取り外された状態を前方から見た構成を示す。
【図４】演算ユニット及び操作ユニットの構成を示す。
【図５】電池収納部付近の構成を示す。
【発明を実施するための形態】
【００１３】
＜本実施形態＞
［電子機器Ｓの概要］
図１は、本実施形態に係る電子機器Ｓの構成を示す図である。図２は、本実施形態に係る電子機器Ｓから天板１５が取り外された状態を示す図である。図３は、本実施形態に係る電子機器Ｓから蓋部材１１２及び表示ユニット５が取り外された状態を前方から見た構成を示す図である。図４は、演算ユニット３及び操作ユニット４の構成を示す図である。図５は、電池収納部６付近の構成を示す図である。
【００１４】
電子機器Ｓは、例えば衛星基地局装置用のパソコン機能付きモデムである。電子機器Ｓは、筐体１、通信ユニット２、演算ユニット３、操作ユニット４、表示ユニット５、電池収納部６、カバー７、及び基板８を有する。
【００１５】
筐体１は、前面板１１、後面板１２、右側面板１３、左側面板１４、天板１５、及び仕切板１６を有する。前面板１１は、筐体１の前面を形成する板である。図１及び図３に示すように、前面板１１は、開口部１１１と蓋部材１１２とを有する。開口部１１１は、複数の記憶装置２８１の前方に位置し、かつ複数の記憶装置２８１を筐体１の外側から脱着するための開口部である。具体的には、開口部１１１は、例えば略長方形状を有する。また、開口部１１１は、複数の記憶装置２８１の前面及び制御ユニット２１の前面よりも大きい。記憶装置２８１及び制御ユニット２１の詳細は後述する。
【００１６】
蓋部材１１２は、開口部１１１を覆う部材である。蓋部材１１２は、例えばメッシュ状の領域を有する。後面板１２は、筐体１の後面を形成する板である。後面板１２は、前面板１１と平行である。右側面板１３は、筐体１の右側面を形成する板である。右側面板１３は、前面板１１及び後面板１２と直交している。左側面板１４は、筐体１の左側面を形成する板である。左側面板１４は、前面板１１及び後面板１２と直交している。
【００１７】
天板１５は、筐体１の上面を形成する板である。天板１５は、前面板１１、後面板１２、右側面板１３、及び左側面板１４の上端に、前面板１１、後面板１２、右側面板１３、及び左側面板１４と直交して設けられている。天板１５は、穴１５１と蓋１５２とを有する。穴１５１は、後述する電池収納部６の上方に形成されている。蓋１５２は、穴１５１を塞ぐ部材である。蓋１５２は、蓋１５２に形成されている穴と、穴１５１の縁に設けられている取付部に形成されている穴とにねじを挿入して締め付けることにより穴１５１の取付部に固定されている。
【００１８】
仕切板１６は、筐体１の内側に形成されている。仕切板１６は、前面板１１、後面板１２、右側面板１３、及び左側面板１４の内側に、前面板１１、後面板１２、右側面板１３、及び左側面板１４と直交して設けられている。仕切板１６は、筐体１の内側の空間を上下に分離している板である。
【００１９】
通信ユニット２は、デジタルデータをアナログ信号に変調し、かつアナログ信号をデジタルデータに復調するモデムの機能を有する。通信ユニット２は、筐体１の内側における仕切板１６の上方に収納されている。図２及び図３に示すように、通信ユニット２は、制御ユニット２１、水晶発振器２２、クロック信号源２３、電源２４、ファン２５、ＬＡＮスイッチ２６、インターフェース部２７、及び記憶部２８を有する。
【００２０】
制御ユニット２１は、通信ユニット２を制御する機能を有する。制御ユニット２１は、仕切板１６と記憶部２８との間に設けられている。制御ユニット２１は、例えば、メイン制御基板２１１とアンプ２１２とを有する。メイン制御基板２１１は、通信ユニット２を制御する機能を有する。メイン制御基板２１１は、仕切板１６とアンプ２１２との間に設けられている。アンプ２１２は、信号を増幅する機能を有する。アンプ２１２は、メイン制御基板２１１と記憶部２８との間に設けられている。
【００２１】
水晶発振器２２は、例えば恒温槽付水晶発振器（ＯＣＸＯ）である。水晶発振器２２は、一定の周波数の発振信号を発生する機能を有する。水晶発振器２２は、仕切板１６とクロック信号源２３との間に設けられている。クロック信号源２３は、例えば水晶発振器２２が発生する発振信号の周波数を制御する電子回路である。クロック信号源２３は、水晶発振器２２とＬＡＮスイッチ２６との間に設けられている。
【００２２】
電源２４は、電子機器Ｓに電力を供給する機能を有する。ファン２５は、筐体１の内側に設けられている電子部品に送風し、冷却する機能を有する。ＬＡＮスイッチ２６は、電子機器Ｓの内部でデータの経路を切り替える機能を有する。インターフェース部２７は、電子機器Ｓと外部の機器とを接続する機能を有しており、例えばＬＡＮインターフェースである。
【００２３】
記憶部２８は、通信ユニット２における記憶部である。記憶部２８は、記憶装置２８１とケース２８２とを有する。記憶装置２８１は、例えばＳＳＤ（Ｓｏｌｉｄ  Ｓｔａｔｅ  Ｄｒｉｖｅ）である。ケース２８２は、複数の記憶装置２８１を収納している。
【００２４】
演算ユニット３は、パソコンの機能における制御部の機能を有する。演算ユニット３は、筐体１の内側における仕切板１６の下方に収納されている。演算ユニット３は、通信ユニット２と電気的に接続されている。図４に示すように、演算ユニット３は、マザーボード３１、マザーボード用記憶部３２、外枠３３、及び上面板３４を有する。
【００２５】
マザーボード３１は、制御用の半導体チップ等が実装されている基板であり、演算ユニット３を制御する機能を有する。マザーボード用記憶部３２は、演算ユニット３における記憶部である。マザーボード用記憶部３２は、例えばＳＳＤを有する。外枠３３は、演算ユニット３の底を形成する枠部材である。外枠３３は、外枠３３の底を形成する底板部３３１を有し、上面板３４は、底板部３３１の上方に設けられている板である。底板部３３１と上面板３４との間に、操作ユニット４が収納されている。
【００２６】
操作ユニット４は、ユーザの操作を受け付ける機能を有する。操作ユニット４は、キーボード、マウス、タッチパッド、及びトラックボールを有する。操作ユニット４は、演算ユニット３と電気的に接続されている。操作ユニット４は、筐体１の内側における仕切板１６の下方に設けられている。
【００２７】
操作ユニット４は、演算ユニット３の外枠３３に対してスライド移動させることが可能であり、ユーザは、操作時には操作ユニット４を演算ユニット３から引き出し、非操作時には操作ユニット４を演算ユニット３に収納することができる。表示ユニット５は、例えば液晶ディスプレイ（ＬＣＤ）を有し、情報を表示する機能を有する。表示ユニット５は、電子機器Ｓの前方、かつ演算ユニット３の上方に設けられている。
【００２８】
［電池収納部６付近の詳細］
電池収納部６は、筐体１の天板１５の下方に設けられており、かつ電池を収納する。具体的には、電池収納部６は、天板１５に形成されている穴１５１の下方に設けられている。図５に示すように、電池収納部６は、基板８に設けられている。基板８の詳細は後述する。電池は、例えばボタン電池（ＣＲ２０３２）であり、電子機器Ｓのバックアップ用の電池である。
【００２９】
電子機器Ｓは、電池収納部６を有し、天板１５には、電池収納部６の上方に穴１５１が形成されているので、ユーザは、電子機器Ｓの天板１５を取り外さなくても、穴１５１を塞ぐ蓋１５２を取り外すだけで、電池収納部６にアクセスすることができ、電池を交換することができる。よって、電子機器Ｓは、電池の交換が容易にできる。
【００３０】
また、電池収納部６は、第１電池収納部６１及び第２電池収納部６２を有する。第１電池収納部６１は、通信ユニット２に電気的に接続されている。第１電池収納部６１に収納されている電池は、通信ユニット２に搭載されているＲＴＣ（Ｒｅａｌ  Ｔｉｍｅ  Ｃｌｏｃｋ）用のバックアップ電池である。
【００３１】
また、第２電池収納部６２は、演算ユニット３に電気的に接続されている。第２電池収納部６２に収納されている電池は、演算ユニット３に搭載されているＲＴＣ用のバックアップ電池である。電子機器Ｓは、通信ユニット２と演算ユニット３とで、それぞれ別々のバックアップ電池を有しているので、電子機器Ｓの装置稼働期間を長くすることができる。
【００３２】
カバー７は、電池収納部６の下方に設けられており、かつ電池が落下することを防止する機能を有する。具体的には、カバー７は、第１電池収納部６１及び第２電池収納部６２の下方を覆うように基板８に設けられている。基板８は、電池収納部６及びカバー７が取り付けられている基板である。基板８は、天板１５と直交する方向に設けられている。具体的には、基板８は、仕切板１６上に仕切板１６に沿って設けられている基板に、当該基板に対して直交して設けられている。
【００３３】
電子機器Ｓは、このように電池収納部６及びカバー７が、天板１５と直交する方向に設けられている基板８に設けられていることで、電池収納部６とカバー７とが、仕切板１６上に仕切板１６に沿って設けられている基板上のスペースを大きく占有してしまうことを防ぎ、かつ当該基板上の配線が複雑になることを防ぐことができる。
【００３４】
カバー７は、底板７１と側板７２とを有する。底板７１は、電池収納部６の下方に位置し、かつ一端が基板８と接している。また、側板７２は、電池収納部６の側方を覆い、かつ電池収納部６の上方に開口を有する。側板７２は、底板７１の外縁における基板８と接していない外縁に、底板７１と直交して上方に向かって延伸している。側板７２の上端及び基板８の上端は、例えば、電子機器Ｓの高さ方向において、電池収納部６の上端と同じ位置であるか、又は電池収納部６の上端よりも高い位置にある。
【００３５】
また、側板７２は、基板８と接する複数の取付部７２４を有する。カバー７は、取付部７２４に形成されている穴と、基板８に形成されている穴とに、ねじを挿入して締め付けることにより、基板８に固定されている。
【００３６】
底板７１は、例えば長方形状である。側板７２は、第１側板７２１、第２側板７２２、及び第３側板７２３を有する。第１側板７２１は、例えば長方形状である。第１側板７２１は、底板７１の基板８と接している側とは反対側の端部に底板７１と直交して上方に向かって延伸している。また、第２側板７２２は、例えば長方形状である。第２側板７２２は、底板７１の長手方向における第１電池収納部６１側の端部に、底板７１と直交して上方に向かって延伸している。また、第３側板７２３は、例えば長方形状である。第３側板７２３は、底板７１の長手方向における第２電池収納部６２側の端部に、底板７１と直交して上方に向かって延伸している。
【００３７】
電子機器Ｓは、このように電池収納部６の下方にカバー７が設けられているので、電池を交換する際に、電池が電池収納部６の下方に落ちてしまったとしても、カバー７の上に落ちるので、電子機器Ｓの内側に電池が落ちづらくなる。また、カバー７は、底板７１と底板７１の縁部に設けられている側板７２とを有する形状であるので、電池を交換する際に、電池を電池収納部６の外側に落としてしまったとしても、電池が電子機器Ｓの内側に落下しづらくなる。
【００３８】
［本実施形態に係る電子機器Ｓによる効果］
本実施形態に係る電子機器Ｓは、筐体１と、筐体１の天板１５の下方に設けられており、かつ電池を収納する電池収納部６と、電池収納部６の下方に設けられており、かつ電池が落下することを防止するカバー７と、天板１５における電池収納部６の上方に形成された穴１５１を塞ぐ蓋１５２と、を有する。
【００３９】
本実施形態に係る電子機器Ｓは、このように筐体１の天板１５の下方に設けられた電池収納部６を有する。よって、電子機器Ｓは、天板１５を取り外さなくても、蓋１５２を取り外すことで穴１５１から電池収納部６にアクセスすることができるので、電池を容易に交換することができる。また、電子機器Ｓは、電池収納部６の下方に電池が落下することを防止するカバー７が設けられていることで、電池の交換時に電池収納部６の下方に電池が落ちたとしてもカバー７の上に落下するため、電子機器Ｓの内側に電池が落ちづらくなる。
【００４０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００４１】
Ｓ・・電子機器
１・・・筐体
１１・・・前面板
１１１・・・開口部
１１２・・・蓋部材
１２・・・後面板
１３・・・右側面板
１４・・・左側面板
１５・・・天板
１５１・・・穴
１５２・・・蓋
１６・・・仕切板
２・・・通信ユニット
２１・・・制御ユニット
２１１・・・メイン制御基板
２１２・・・アンプ
２２・・・水晶発振器
２３・・・クロック信号源
２４・・・電源
２５・・・ファン
２６・・・ＬＡＮスイッチ
２７・・・インターフェース部
２８・・・記憶部
２８１・・・記憶装置
２８２・・・ケース
３・・・演算ユニット
３１・・・マザーボード
３２・・・マザーボード用記憶部
３３・・・外枠
３４・・・上面板
４・・・操作ユニット
５・・・表示ユニット
６・・・電池収納部
６１・・・第１電池収納部
６２・・・第２電池収納部
７・・・カバー
７１・・・底板
７２・・・側板
７２１・・・第１側板
７２２・・・第２側板
７２３・・・第３側板
７２４・・・取付部
８・・・基板
【図１】
2019033137.tif 000003
【図２】
2019033137.tif 000004
【図３】
2019033137.tif 000005
【図４】
2019033137.tif 000006
【図５】
2019033137.tif 000007